(57)【特許請求の範囲】
【請求項１】
射出筒５の前部外面へ、前後方向中間部に有する仕切板部１１から後方突設する連結筒部１２を、回動不能に嵌合させると共に、仕切板部前面の中心部と周縁部とから棒状部１３と囲成筒部１４とを前方突出して、これ等棒状部と囲成筒部との間の間隙と射出筒５とを仕切板部１１に穿設した透孔１５で連通するノズル嵌合部材１０を設け、又、ノズル孔２１を中心部に有する前壁２２の後面から、上記棒状部１３外面へ嵌合させて内筒２３を、かつ囲成筒部１４外面へ嵌合させて外筒２４を、それぞれ後方突設するノズルキャップ２０を設け、更に、上記ノズル孔２１と連通する液体噴出路形成用の第１溝２５と第２溝２６とを上記棒状部１３の外面と内筒２３の内面とに穿設して、ノズル嵌合部材１０に対するノズルキャップ２０の回動で、第１溝２５と第２溝２６とを連通させ、又遮断させることが自在に形成してなり、更に、上記ノズル嵌合部材１０の一部とノズルキャップ２０の一部とに、第１、第２係合子を形成して、ノズル嵌合部材に対してノズルキャップを正方向へ回動させて上記両溝が連通したとき、第２係合子の正回動方向側面が第１係合子の逆回動方向側面に接し、又ノズルキャップを逆回動方向へ回動させたとき、上記両溝が離れて第２係合子の逆回動方向側面が第１係合子の正回動方向側面へ接するように設けたトリガー式液体噴出容器において、
上記第１係合子は、上記ノズル嵌合部材の囲成筒部１４の後部内面に周方向へ所定間隔をおいて形成した一対の係合突部３０からなり、又上記第２係合子は、上記ノズルキャップの内筒２３外面に周方向へ所定の間隔をおいて形成した一対の係合突部３１からなることを特徴とするトリガー式液体噴出容器。
【請求項２】
射出筒５の前部外面へ、前後方向中間部に有する仕切板部１１から後方突設する連結筒部１２を、回動不能に嵌合させると共に、仕切板部前面の中心部と周縁部とから棒状部１３と囲成筒部１４とを前方突出して、これ等棒状部と囲成筒部との間の間隙と射出筒５とを仕切板部１１に穿設した透孔１５で連通するノズル嵌合部材１０を設け、又、ノズル孔２１を中心部に有する前壁２２の後面から、上記棒状部１３外面へ嵌合させて内筒２３を、かつ囲成筒部１４外面へ嵌合させて外筒２４を、それぞれ後方突設するノズルキャップ２０を設け、更に、上記ノズル孔２１と連通する液体噴出路形成用の第１溝２５と第２溝２６とを上記棒状部１３の外面と内筒２３の内面とに穿設して、ノズル嵌合部材１０に対するノズルキャップ２０の回動で、第１溝２５と第２溝２６とを連通させ、又遮断させることが自在に形成してなり、更に、上記ノズル嵌合部材１０の一部とノズルキャップ２０の一部とに、第１、第２係合子を形成して、ノズル嵌合部材に対してノズルキャップを正方向へ回動させて上記両溝が連通したとき、第２係合子の正回動方向側面が第１係合子の逆回動方向側面に接し、又ノズルキャップを逆回動方向へ回動させたとき、上記両溝が離れて第２係合子の逆回動方向側面が第１係合子の正回動方向側面へ接するように設けたトリガー式液体噴出容器において、
上記第１係合子は、上記囲成筒部１４の後部外面に形成した１つの又は周方向へ所定間隔をおいて形成した２つの係合突部３５からなり、又上記第２係合子は、上記外筒２４を形成する内外２重周壁24ａ，24ｂのうち内周壁24aの後部内面に周方向へ所定間隔をおいて形成した２つの係合突部３６、又は外筒の内周壁24a後端から後方突設する２つの係合片３６ａからなることを特徴とするトリガー式液体噴出容器。
【請求項３】
射出筒５の前部外面へ、前後方向中間部に有する仕切板部１１から後方突設する連結筒部１２を、回動不能に嵌合させると共に、仕切板部前面の中心部と周縁部とから棒状部１３と囲成筒部１４とを前方突出して、これ等棒状部と囲成筒部との間の間隙と射出筒５とを仕切板部１１に穿設した透孔１５で連通するノズル嵌合部材１０を設け、又、ノズル孔２１を中心部に有する前壁２２の後面から、上記棒状部１３外面へ嵌合させて内筒２３を、かつ囲成筒部１４外面へ嵌合させて外筒２４を、それぞれ後方突設するノズルキャップ２０を設け、更に、上記ノズル孔２１と連通する液体噴出路形成用の第１溝２５と第２溝２６とを上記棒状部１３の外面と内筒２３の内面とに穿設して、ノズル嵌合部材１０に対するノズルキャップ２０の回動で、第１溝２５と第２溝２６とを連通させ、又遮断させることが自在に形成してなり、更に、上記ノズル嵌合部材１０の一部とノズルキャップ２０の一部とに、第１、第２係合子を形成して、ノズル嵌合部材に対してノズルキャップを正方向へ回動させて上記両溝が連通したとき、第２係合子の正回動方向側面が第１係合子の逆回動方向側面に接し、又ノズルキャップを逆回動方向へ回動させたとき、上記両溝が離れて第２係合子の逆回動方向側面が第１係合子の正回動方向側面へ接するように設けたトリガー式液体噴出容器において、
上記ノズルキャップの外筒２４を内外二重周壁２４ａ、２４ｂで形成し、かつ上記第１係合子を、外筒の内周壁２４ａ外面に周方向へ所定の間隔をおいて形成した一対の係合突部３７で形成し、又上記第２係合子を、上記囲成筒部１４の外方仕切板１１部分前面から突設する係合突部３８で形成したことを特徴とするトリガー式液体噴出容器。
【請求項４】
上記請求項３に記載したトリガー式液体噴出容器において、外筒の内周壁24a外面に形成した一対の係合突部37に代えて、外筒の内周壁24aと外周壁24ｂとの間に周方向へ所定の間隔をおいてそれら内周壁24aと外周壁24ｂを連結するように設けた一対の連結片３９で、上記第1係合子を形成したことを特徴とするトリガー式液体噴出容器。
【請求項５】
射出筒５の前部外面へ、前後方向中間部に有する仕切板部１１から後方突設する連結筒部１２を、回動不能に嵌合させると共に、仕切板部前面の中心部と周縁部とから棒状部１３と囲成筒部１４とを前方突出して、これ等棒状部と囲成筒部との間の間隙と射出筒５とを仕切板部１１に穿設した透孔１５で連通するノズル嵌合部材１０を設け、又、ノズル孔２１を中心部に有する前壁２２の後面から、上記棒状部１３外面へ嵌合させて内筒２３を、かつ囲成筒部１４外面へ嵌合させて外筒２４を、それぞれ後方突設するノズルキャップ２０を設け、更に、上記ノズル孔２１と連通する液体噴出路形成用の第１溝２５と第２溝２６とを上記棒状部１３の外面と内筒２３の内面とに穿設して、ノズル嵌合部材１０に対するノズルキャップ２０の回動で、第１溝２５と第２溝２６とを連通させ、又遮断させることが自在に形成してなり、更に、上記ノズル嵌合部材１０の一部とノズルキャップ２０の一部とに、第１、第２係合子を形成して、ノズル嵌合部材に対してノズルキャップを正方向へ回動させて上記両溝が連通したとき、第２係合子の正回動方向側面が第１係合子の逆回動方向側面に接し、又ノズルキャップを逆回動方向へ回動させたとき、上記両溝が離れて第２係合子の逆回動方向側面が第１係合子の正回動方向側面へ接するように設けたトリガー式液体噴出容器において、
上記ノズルキャップの外筒２４を内外二重周壁２４ａ、２４ｂで形成し、かつ上記第１係合子は、囲成筒１４外面に形成した前端面開放の係合溝４１の両側壁からなり、又上記第２係合子は内周壁２４ａ内面から突設する係合突部４２からなることを特徴とするトリガー式液体噴出容器。
【請求項６】
射出筒５の前部外面へ、前後方向中間部に有する仕切板部１１から後方突設する連結筒部１２を、回動不能に嵌合させると共に、仕切板部前面の中心部と周縁部とから棒状部１３と囲成筒部１４とを前方突出して、これ等棒状部と囲成筒部との間の間隙と射出筒５とを仕切板部１１に穿設した透孔１５で連通するノズル嵌合部材１０を設け、又、ノズル孔２１を中心部に有する前壁２２の後面から、上記棒状部１３外面へ嵌合させて内筒２３を、かつ囲成筒部１４外面へ嵌合させて外筒２４を、それぞれ後方突設するノズルキャップ２０を設け、更に、上記ノズル孔２１と連通する液体噴出路形成用の第１溝２５と第２溝２６とを上記棒状部１３の外面と内筒２３の内面とに穿設して、ノズル嵌合部材１０に対するノズルキャップ２０の回動で、第１溝２５と第２溝２６とを連通させ、又遮断させることが自在に形成してなり、更に、上記ノズル嵌合部材１０の一部とノズルキャップ２０の一部とに、第１、第２係合子を形成して、ノズル嵌合部材に対してノズルキャップを正方向へ回動させて上記両溝が連通したとき、第２係合子の正回動方向側面が第１係合子の逆回動方向側面に接し、又ノズルキャップを逆回動方向へ回動させたとき、上記両溝が離れて第２係合子の逆回動方向側面が第１係合子の正回動方向側面へ接するように設けたトリガー式液体噴出容器において、
上記ノズルキャップの外筒２４を内外二重周壁２４ａ、２４ｂで形成し、かつ上記第１係合子は囲成筒１４前部に形成した切欠き４３の両側壁からなり、又上記第２係合子は内周壁２４ａ内面から突設する係合突部４４からなることを特徴とするトリガー式液体噴出容器。
【発明の詳細な説明】
【０００１】
【発明の属する技術分野】
本発明は液体噴出容器に関し、特に、食器、トイレの洗浄やカビ取り等に使用される洗剤、又は車やフローリング等に使用されるワックス剤等、各種洗剤やワックスを噴出させるトリガー式の液体噴出容器に関する。
【０００２】
【従来の技術】
例えば、実開昭６２−１８７６６５号が示すように、容器体口頸部へ嵌合させた装着筒内から主筒を起立し、該主筒前面からシリンダを、かつ主筒上端から射出筒を、それぞれ前方突出し、又射出筒前部に枢着させて垂設したトリガーの上方後部に、上記シリンダ内へ嵌合させたプランジャ前端部を連結し、かつトリガーを前方付勢させ、トリガーの前後方向揺動で容器体内液体をシリンダ内へ吸込み、かつ該シリンダ内液体を射出筒前端から噴出可能に設け、さらに、上記射出筒前端部へ回動可能に液体噴出孔を有するノズルキャップを嵌合させ、これらの嵌合部分に射出筒に対するノズルキャップの回動で射出筒が有する射出筒孔と液体噴出孔とを連通させ、また遮断させることが自在な液体通路開閉機構を設けたトリガー式液体噴出容器が知られている。
【０００３】
【発明が解決しようとする課題】
上記公知例では、ノズルキャップを回動させて、ノズルキャップに表示した開位置または閉位置の目印を、射出筒上面の目印に一致させることで液体噴出孔の開閉を行っている。このため、両者が一致していることを逐一目で確認する必要があった。また、ノズルキャップの開位置の目印と射出筒の目印とが完全に一致することなく多少でもずれていると、開位置への回動の毎に液体噴出パターンが多少異なるため、一定の噴出パターンが得られないおそれがあった。
本発明は、ノズルキャップの回動により第２係合子が第１係合子へ係合するようにして、常に一定の液体噴出パターンが得られるようにするものである。
【０００４】
【課題を解決するための手段】
第１の手段として、射出筒５の前部外面へ、前後方向中間部に有する仕切板部１１から後方突設する連結筒部１２を、回動不能に嵌合させると共に、仕切板部前面の中心部と周縁部とから棒状部１３と囲成筒部１４とを前方突出して、これ等棒状部と囲成筒部との間の間隙と射出筒５とを仕切板部１１に穿設した透孔１５で連通するノズル嵌合部材１０を設け、又、ノズル孔２１を中心部に有する前壁２２の後面から、上記棒状部１３外面へ嵌合させて内筒２３を、かつ囲成筒部１４外面へ嵌合させて外筒２４を、それぞれ後方突設するノズルキャップ２０を設け、更に、上記ノズル孔２１と連通する液体噴出路形成用の第１溝２５と第２溝２６とを上記棒状部１３の外面と内筒２３の内面とに穿設して、ノズル嵌合部材１０に対するノズルキャップ２０の回動で、第１溝２５と第２溝２６とを連通させ、又遮断させることが自在に形成してなり、更に、上記ノズル嵌合部材１０の一部とノズルキャップ２０の一部とに、第１、第２係合子を形成して、ノズル嵌合部材に対してノズルキャップを正方向へ回動させて上記両溝が連通したとき、第２係合子の正回動方向側面が第１係合子の逆回動方向側面に接し、又ノズルキャップを逆回動方向へ回動させたとき、上記両溝が離れて第２係合子の逆回動方向側面が第１係合子の正回動方向側面へ接するように設けたトリガー式液体噴出容器において、
上記第１係合子は、上記ノズル嵌合部材の囲成筒部１４の後部内面に周方向へ所定間隔をおいて形成した一対の係合突部３０からなり、又上記第２係合子は、上記ノズルキャップの内筒２３外面に周方向へ所定の間隔をおいて形成した一対の係合突部３１からなる。
【０００５】
第２の手段として、射出筒５の前部外面へ、前後方向中間部に有する仕切板部１１から後方突設する連結筒部１２を、回動不能に嵌合させると共に、仕切板部前面の中心部と周縁部とから棒状部１３と囲成筒部１４とを前方突出して、これ等棒状部と囲成筒部との間の間隙と射出筒５とを仕切板部１１に穿設した透孔１５で連通するノズル嵌合部材１０を設け、又、ノズル孔２１を中心部に有する前壁２２の後面から、上記棒状部１３外面へ嵌合させて内筒２３を、かつ囲成筒部１４外面へ嵌合させて外筒２４を、それぞれ後方突設するノズルキャップ２０を設け、更に、上記ノズル孔２１と連通する液体噴出路形成用の第１溝２５と第２溝２６とを上記棒状部１３の外面と内筒２３の内面とに穿設して、ノズル嵌合部材１０に対するノズルキャップ２０の回動で、第１溝２５と第２溝２６とを連通させ、又遮断させることが自在に形成してなり、更に、上記ノズル嵌合部材１０の一部とノズルキャップ２０の一部とに、第１、第２係合子を形成して、ノズル嵌合部材に対してノズルキャップを正方向へ回動させて上記両溝が連通したとき、第２係合子の正回動方向側面が第１係合子の逆回動方向側面に接し、又ノズルキャップを逆回動方向へ回動させたとき、上記両溝が離れて第２係合子の逆回動方向側面が第１係合子の正回動方向側面へ接するように設けたトリガー式液体噴出容器において、
上記第１係合子は、上記囲成筒部１４の後部外面に形成した１つの又は周方向へ所定間隔をおいて形成した２つの係合突部３５からなり、又上記第２係合子は、上記外筒２４を形成する内外２重周壁24ａ，24ｂのうち内周壁24aの後部内面に周方向へ所定間隔をおいて形成した２つの係合突部３６、又は外筒の内周壁24a後端から後方突設する２つの係合片３６ａからなる。
【０００６】
第３の手段として、射出筒５の前部外面へ、前後方向中間部に有する仕切板部１１から後方突設する連結筒部１２を、回動不能に嵌合させると共に、仕切板部前面の中心部と周縁部とから棒状部１３と囲成筒部１４とを前方突出して、これ等棒状部と囲成筒部との間の間隙と射出筒５とを仕切板部１１に穿設した透孔１５で連通するノズル嵌合部材１０を設け、又、ノズル孔２１を中心部に有する前壁２２の後面から、上記棒状部１３外面へ嵌合させて内筒２３を、かつ囲成筒部１４外面へ嵌合させて外筒２４を、それぞれ後方突設するノズルキャップ２０を設け、更に、上記ノズル孔２１と連通する液体噴出路形成用の第１溝２５と第２溝２６とを上記棒状部１３の外面と内筒２３の内面とに穿設して、ノズル嵌合部材１０に対するノズルキャップ２０の回動で、第１溝２５と第２溝２６とを連通させ、又遮断させることが自在に形成してなり、更に、上記ノズル嵌合部材１０の一部とノズルキャップ２０の一部とに、第１、第２係合子を形成して、ノズル嵌合部材に対してノズルキャップを正方向へ回動させて上記両溝が連通したとき、第２係合子の正回動方向側面が第１係合子の逆回動方向側面に接し、又ノズルキャップを逆回動方向へ回動させたとき、上記両溝が離れて第２係合子の逆回動方向側面が第１係合子の正回動方向側面へ接するように設けたトリガー式液体噴出容器において、
上記ノズルキャップの外筒２４を内外二重周壁２４ａ、２４ｂで形成し、かつ上記第１係合子を、外筒の内周壁２４ａ外面に周方向へ所定の間隔をおいて形成した一対の係合突部３７で形成し、又上記第２係合子を、上記囲成筒部１４の外方仕切板１１部分前面から突設する係合突部３８で形成した。
【０００７】
第４の手段として、上記第３の手段で記載したトリガー式液体噴出容器において、外筒の内周壁24a外面に形成した一対の係合突部37に代えて、外筒の内周壁24aと外周壁24ｂとの間に周方向へ所定の間隔をおいてそれら内周壁24aと外周壁24ｂを連結するように設けた一対の連結片３９で、上記第1係合子を形成している。
【０００８】
第５の手段として、射出筒５の前部外面へ、前後方向中間部に有する仕切板部１１から後方突設する連結筒部１２を、回動不能に嵌合させると共に、仕切板部前面の中心部と周縁部とから棒状部１３と囲成筒部１４とを前方突出して、これ等棒状部と囲成筒部との間の間隙と射出筒５とを仕切板部１１に穿設した透孔１５で連通するノズル嵌合部材１０を設け、又、ノズル孔２１を中心部に有する前壁２２の後面から、上記棒状部１３外面へ嵌合させて内筒２３を、かつ囲成筒部１４外面へ嵌合させて外筒２４を、それぞれ後方突設するノズルキャップ２０を設け、更に、上記ノズル孔２１と連通する液体噴出路形成用の第１溝２５と第２溝２６とを上記棒状部１３の外面と内筒２３の内面とに穿設して、ノズル嵌合部材１０に対するノズルキャップ２０の回動で、第１溝２５と第２溝２６とを連通させ、又遮断させることが自在に形成してなり、更に、上記ノズル嵌合部材１０の一部とノズルキャップ２０の一部とに、第１、第２係合子を形成して、ノズル嵌合部材に対してノズルキャップを正方向へ回動させて上記両溝が連通したとき、第２係合子の正回動方向側面が第１係合子の逆回動方向側面に接し、又ノズルキャップを逆回動方向へ回動させたとき、上記両溝が離れて第２係合子の逆回動方向側面が第１係合子の正回動方向側面へ接するように設けたトリガー式液体噴出容器において、
上記ノズルキャップの外筒２４を内外二重周壁２４ａ、２４ｂで形成し、かつ上記第１係合子は、囲成筒１４外面に形成した前端面開放の係合溝４１の両側壁からなり、又上記第２係合子は内周壁２４ａ内面から突設する係合突部４２からなる。
【０００９】
第６の手段として、射出筒５の前部外面へ、前後方向中間部に有する仕切板部１１から後方突設する連結筒部１２を、回動不能に嵌合させると共に、仕切板部前面の中心部と周縁部とから棒状部１３と囲成筒部１４とを前方突出して、これ等棒状部と囲成筒部との間の間隙と射出筒５とを仕切板部１１に穿設した透孔１５で連通するノズル嵌合部材１０を設け、又、ノズル孔２１を中心部に有する前壁２２の後面から、上記棒状部１３外面へ嵌合させて内筒２３を、かつ囲成筒部１４外面へ嵌合させて外筒２４を、それぞれ後方突設するノズルキャップ２０を設け、更に、上記ノズル孔２１と連通する液体噴出路形成用の第１溝２５と第２溝２６とを上記棒状部１３の外面と内筒２３の内面とに穿設して、ノズル嵌合部材１０に対するノズルキャップ２０の回動で、第１溝２５と第２溝２６とを連通させ、又遮断させることが自在に形成してなり、更に、上記ノズル嵌合部材１０の一部とノズルキャップ２０の一部とに、第１、第２係合子を形成して、ノズル嵌合部材に対してノズルキャップを正方向へ回動させて上記両溝が連通したとき、第２係合子の正回動方向側面が第１係合子の逆回動方向側面に接し、又ノズルキャップを逆回動方向へ回動させたとき、上記両溝が離れて第２係合子の逆回動方向側面が第１係合子の正回動方向側面へ接するように設けたトリガー式液体噴出容器において、
上記ノズルキャップの外筒２４を内外二重周壁２４ａ、２４ｂで形成し、かつ上記第１係合子は囲成筒１４前部に形成した切欠き４３の両側壁からなり、又上記第２係合子は内周壁２４ａ内面から突設する係合突部４４からなる。
【００１０】
【発明の実施の形態】
以下、本発明に係るトリガー式液体噴出容器の実施形態を図面を参照しながら説明する。
図１乃至図４は第１の実施形態を示す。
まず、トリガー式液体噴出容器の公知の部分について説明すると、１は容器本体で、周壁上端部から起立した口頸部外面へ装着筒２を嵌合させ、該装着筒内から主筒３を起立し、該主筒前面からシリンダ４を、主筒上端から射出筒５を、それぞれ前方突設すると共に、射出筒５前部へ枢着させて垂設したトリガー６の上部後面へシリンダ内へ嵌合させたプランジャ７の前端部を連結させ、トリガー６の前後方向への揺動で、容器本体１内の液体をシリンダ４内へ吸上げ、該シリンダ内の液体を射出筒５前端から噴出可能に形成している。
【００１１】
１０はノズル嵌合部材で、射出筒５の前部外面へ、前後方向中間部に有する仕切板部１１から後方突設する連結筒部１２を回動不能に嵌合させると共に、仕切板部１１前面の中心部と周縁部とから棒状部１３と囲成筒部１４とを前方突出して、これら棒状部と囲成筒部との間の間隙と射出筒５とを仕切板部１１に穿設した透孔１５で連通する。
【００１２】
２０はノズルキャップで、ノズル孔２１を中心部に有する前壁２２の後面から、棒状部１３外面へ嵌合させて内筒２３を、かつ囲成筒部１４外面へ嵌合させて外筒２４を、それぞれ後方突設する。外筒２４は内外二重周壁２４ａ、２４ｂからなり、内周壁２４ａを囲成筒部１４外面へ嵌合させている。さらに、ノズル孔２１と連通する液体噴出路形成用の第１溝２５と第２溝２６とを棒状部１３の外面と内筒２３の内面とに穿設して、ノズル嵌合部材１０に対するノズルキャップ２０の回動で、第１溝２５と第２溝２６とを連通させ、また、離間させることが自在に形成する。
【００１３】
本発明の第１の実施形態では、請求項２記載のように、囲成筒部１４の後部内面に、一対の前後方向への第１係合突条３０を軸対称の位置に形成すると共に、内筒２３外面の第２溝２６と対向する位置に、一対の前後方向への第２係合突条３１を軸対称の位置に形成して、後述するようにノズルキャップ２０の回動でこれら係合突条が互いに係合可能に形成する。
【００１４】
次に本実施形態の作用について説明する。
図１及び図３は第１溝２５と第２溝２６との連通が遮断され、ノズル孔２１からの液体噴出が阻止された状態を示す。
液体噴出を可能にするためには、ノズル嵌合部材１０に対してノズルキャップ２０を正方向（図３において反時計方向）へ回動させればよく、すると第２係合突条３１が第１係合突条３０の正回動方向側面から離れて逆回動方向側面へ接して、図４に示すように第２溝２６が第１溝２５に合致して両溝が連通する。
【００１５】
このノズルキャップ２０の液体噴出可能位置において、トリガー６を引き寄せると、シリンダ４から射出筒５へ吐出した液体が、透孔１５、棒状部１３と囲成筒部１４との間隙、第２溝２６及び第１溝２５を介してノズル孔２１から噴出する。
液体噴出を阻止するためには、ノズルキャップ２０を上記と逆方向へ回動させればよく、すると第２溝２６が第１溝２５から離れて、第２係合突条３１の逆回動方向側面が第１係合突条３０の正回動方向側面へ接する。
【００１６】
図５乃至図８及び図９は第２の実施形態を示す。
本実施形態では、図５乃至図８に示し、かつ請求項３に記載のように、囲成筒部１４の後部外面に、前後方向への一対の第３係合突条３５を軸対称に形成すると共に、外筒２４後部内面に、前後方向への一対の第４係合突条３６を軸対称に形成する。その他の構成は第１の実施形態と同様であるから説明を省略する。
【００１７】
図５及び図７は、第１溝２５と第２溝２６との連通が遮断された状態を示し、この状態から液体噴出可能にするためには、上記同様にノズルキャップ２０を正方向（図７において時計方向）へ回動させて、図８に示すように、第４係合突条３６を第３係合突条３５の正回動方向側面へ接触させればよく、すると第２溝２６が第１溝２５に合致して両溝が連通する。
図９は変形例を示すもので、外筒２４後端部を、一対の軸対称の係合片３６ａを残して切除しており、該係合片が第４係合突条３６と同一の機能を有する。
【００１８】
図１０乃至図１３、図１４及び図１５は第３の実施形態を示す。
図１０乃至図１３に示し、請求項４に記載するように、外筒の内周壁２４ａ外面に前後方向への一対の第５係合突条３７を軸対称に形成すると共に、囲成筒部１４の外方仕切板１１部分の前面上部に左右方向への第６係合突条３８を形成する。
その他の構成は第１の実施形態と同様であるから説明を省略する。
【００１９】
図１０及び図１２は、第１溝２５と第２溝２６との連通が遮断された状態を示し、この状態から液体噴出可能にするためには、上記同様にノズルキャップ２０を正方向（図１２において時計方向）へ回動させて、図１３に示すように、第５係合突条３７を第６係合突条３８の正回動方向側面へ接触させればよく、すると第２溝２６が第１溝２５に合致して両溝が連通する。
【００２０】
図１４は変形例を示すもので、外筒の内外両周壁２４ａ、２４ｂ間に、両周壁を連結する一対の連結片３９を軸対称に形成しており、該連結片が第５係合突条３７と同一の機能を有する。
液体噴出可能にするためには、上記同様にノズルキャップ２０を正方向へ回動させて第１及び第２溝２５、２６を連通させればよい。
【００２１】
図１５は他の変形例を示すもので、外周壁２４ｂ内面に一対の第７係合突条４０を軸対称に形成しており、該係合突条が第５係合突条３７と同一の機能を有する。
液体噴出可能にするためには、上記同様にノズルキャップ２０を正方向へ回動させて第１及び第２溝２５、２６を連通させればよい。
【００２２】
図１６及び図２１は第４の実施形態を示すもので、請求項５にも記載するように、囲成筒１４の前部外面に前端面開放の係合溝４１を形成すると共に、内周壁２４ａ内面に前後方向への第８係合突条４２を形成する。
なお、係合溝４１の数は１つでも、或いは２つでもよく、２つ設ける場合には第８係合突条４２も２つ設ける。
その他の構成は第１の実施形態と同様であるから説明を省略する。
ノズルキャップ２０を正方向又は逆方向へ回動させると、図１８乃至図２１に示すように係合突条４２は係合溝４１の上側壁又は下側壁に係合する。
【００２３】
図２２乃至図２７は第５の実施形態を示すもので、請求項６にも記載するように、囲成筒１４前部に切欠き４３を形成すると共に、内周壁２４ａ内面に前後方向への第９係合突条４４を形成する。なお、切欠き４３の数は１つでも、或いは２つでもよく、２つ設ける場合には係合突条４４も２つ設ける。その他の構成は第１の実施形態と同様であるから説明を省略する。ノズルキャップ２０を正方向又は逆方向へ回動させると、図２４乃至図２７に示すように係合突条４４は切欠き４３の上側壁又は下側壁に係合する。
【００２４】
【発明の効果】
本発明は、ノズルキャップの回動により第１溝と第２溝とが連通したとき、第２係合子が第１係合子の一側面に、また、両溝が互いに離間したとき、第２係合子が第１係合子の他側面に、それぞれ接するように設けたので、ノズルキャップが開位置又は閉位置に位置するか否かを逐一目で正確に確認する必要がない。
また、ノズルキャップの回動により第２係合子が第１係合子に接した後は、正方向へのそれ以上の回動が不能になるため、両溝の合致による連通状態は常に一定であり、従って、常に一定の液体噴出パターンが得られる。
【図面の簡単な説明】
【図１】本発明に係るトリガー式液体噴出容器の第１の実施形態を示すもので、第１及び第２溝が互いに離間した状態の要部断面側面図。
【図２】同じく、要部の分解斜視図。
【図３】同じく、図１のＡ−Ａ断面図。
【図４】同じく、第１及び第２溝の連通状態を示す図３相当図。
【図５】本発明に係るトリガー式液体噴出容器の第２の実施形態を示すもので、第１及び第２溝が互いに離間した状態の要部断面側面図。
【図６】同じく、要部の分解斜視図。
【図７】同じく、図５のＢ−Ｂ断面図。
【図８】同じく、第１及び第２溝の連通状態を示す図７相当図。
【図９】変形例を示す図６相当図。
【図１０】本発明に係るトリガー式液体噴出容器の第３の実施形態を示すもので、第１及び第２溝が互いに離間した状態の要部断面側面図。
【図１１】同じく、要部の分解斜視図。
【図１２】同じく、図１０のＣ−Ｃ断面図。
【図１３】同じく、第１及び第２溝の連通状態を示す図１２相当図。
【図１４】変形例を示すもので、第１及び第２溝が離間状態にある図１２相当図。
【図１５】他の変形例を示すもので、第１及び第２溝が離間状態にある図１４相当図。
【図１６】本発明に係るトリガー式液体噴出容器の第４の実施形態を示すもので、第１及び第２溝が互いに離間した状態の要部断面側面図。
【図１７】同じく、要部の分解斜視図。
【図１８】同じく、図１６のＤ−Ｄ断面図。
【図１９】同じく、第１及び第２溝の連通状態を示す図１８相当図。
【図２０】変形例を示すもので、第１及び第２溝が離間状態にある図１８相当図。
【図２１】図２０の変形例において、第１及び第２溝が連通状態にある図１８相当図。
【図２２】本発明に係るトリガー式液体噴出容器の第５の実施形態を示すもので、第１及び第２溝が互いに離間した状態の要部断面側面図。
【図２３】同じく、要部の分解斜視図。
【図２４】同じく、図２２のＥ−Ｅ断面図。
【図２５】同じく、第１及び第２溝の連通状態を示す図２４相当図。
【図２６】変形例を示すもので、第１及び第２溝が離間状態にある図２４相当図。
【図２７】図２６の変形例において、第１及び第２溝が連通状態にある図２４相当図。
【符号の説明】
１０  ノズル嵌合部材
１１  仕切板部
１２  連結筒部
１３  棒状部
１４  囲成筒部
１５  透孔
２０  ノズルキャップ
２１  ノズル孔
２２  前壁
２３  内筒
２４  外筒
２４ａ  内周壁
２４ｂ  外周壁
２５  第１溝
２６  第２溝
３０、３５、３８、４１、４３  第１係合子
３１、３６、３６ａ、３７、３９、４０、４２、４４  第２係合子
【図１】
0003734648.tif 000002
【図２】
0003734648.tif 000003
【図３】
0003734648.tif 000004
【図４】
0003734648.tif 000005
【図５】
0003734648.tif 000006
【図６】
0003734648.tif 000007
【図７】
0003734648.tif 000008
【図８】
0003734648.tif 000009
【図９】
0003734648.tif 000010
【図１０】
0003734648.tif 000011
【図１１】
0003734648.tif 000012
【図１２】
0003734648.tif 000013
【図１３】
0003734648.tif 000014
【図１４】
0003734648.tif 000015
【図１５】
0003734648.tif 000016
【図１６】
0003734648.tif 000017
【図１７】
0003734648.tif 000018
【図１８】
0003734648.tif 000019
【図１９】
0003734648.tif 000020
【図２０】
0003734648.tif 000021
【図２１】
0003734648.tif 000022
【図２２】
0003734648.tif 000023
【図２３】
0003734648.tif 000024
【図２４】
0003734648.tif 000025
【図２５】
0003734648.tif 000026
【図２６】
0003734648.tif 000027
【図２７】
0003734648.tif 000028